【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
方法であって、
複数の周波数帯域の許容可能な組み合わせを備える複数のタイミングアドバンスグループ（ＴＡＧ）に関連付けられた複数のルールのセットをユーザ機器（ＵＥ）から受信することと、ここにおいて、前記複数のルールのセットは、帯域内キャリアアグリゲーションのためのある数量のサポートされたＴＡＧおよび帯域間キャリアアグリゲーションのためのある数量のサポートされたＴＡＧをさらに備える、
複数のアグリゲートされたコンポーネントキャリアの周波数を決定することと、
前記複数の周波数帯域の許容可能な組み合わせおよび前記複数のアグリゲートされたコンポーネントキャリアの前記決定された周波数に基づいて、前記複数のアグリゲートされたコンポーネントキャリアを少なくとも１つのタイミングアドバンスグループに割り当てることと
を備える、方法。
【請求項２】
前記複数のルールのセットは、複数のＴＡＧの許容可能な組み合わせをさらに備える、請求項１に記載の方法。
【請求項３】
前記割り当てることは、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つを備える、請求項２に記載の方法。
【請求項４】
前記少なくとも１つのＴＡＧは、最少で１つのＴＡＧ、多くて４つのＴＡＧを備える、請求項１に記載の方法。
【請求項５】
ワイヤレスエンティティに前記割り当てられた少なくとも１つのＴＡＧを送信することをさらに備える、請求項１に記載の方法。
【請求項６】
前記割り当てることは、既存のＴＡＧまたは新規のＴＡＧのうちの１つに割り当てることを備える、請求項１に記載の方法。
【請求項７】
ワイヤレスネットワークエンティティであって、
複数の周波数帯域の許容可能な組み合わせを備える複数のタイミングアドバンスグループ（ＴＡＧ）に関連付けられた複数のルールのセットをユーザ機器（ＵＥ）から受信するための手段と、ここにおいて、前記複数のルールのセットは、帯域内キャリアアグリゲーションのためのある数量のサポートされたＴＡＧおよび帯域間キャリアアグリゲーションのためのある数量のサポートされたＴＡＧを備える、
複数のアグリゲートされたコンポーネントキャリアの周波数を決定するための手段と、
前記複数の周波数帯域の許容可能な組み合わせおよび前記複数のアグリゲートされたコンポーネントキャリアの前記決定された周波数に基づいて、前記複数のアグリゲートされたコンポーネントキャリアを少なくとも１つのタイミングアドバンスグループに割り当てるための手段と
を備える、ワイヤレスネットワークエンティティ。
【請求項８】
前記複数のルールのセットは、複数のＴＡＧの許容可能な組み合わせ、または複数の周波数帯域の許容可能な組み合わせのうちの少なくとも１つをさらに備える、請求項７に記載のワイヤレスネットワークエンティティ。
【請求項９】
前記割り当てるための手段は、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つのためにさらに構成される、請求項８に記載のワイヤレスネットワークエンティティ。
【請求項１０】
ワイヤレスエンティティに前記割り当てられた少なくとも１つのＴＡＧを送信するための手段をさらに備える、請求項７に記載のワイヤレスネットワークエンティティ。
【請求項１１】
方法であって、
複数のタイミングアドバンスグループに関連付けられた複数のルールのセットを決定することと、ここにおいて、前記複数のルールのセットは、帯域内キャリアアグリゲーションのためのある数量のサポートされたＴＡＧおよび帯域間キャリアアグリゲーションのためのある数量のサポートされたＴＡＧを備える、
前記複数のタイミングアドバンスグループに関連付けられた複数のルールのセットを基地局に送信することと、
少なくとも１つのタイミングアドバンスグループ（ＴＡＧ）への複数のアグリゲートされたコンポーネントキャリアの割り当てのインジケーションを受信することとを備え、前記少なくとも１つのタイミングアドバンスグループへの前記割り当ては、前記複数のルールのセットに対応する、方法。
【請求項１２】
前記複数のルールのセットは、複数のＴＡＧの許容可能な組み合わせ、または複数の周波数帯域の許容可能な組み合わせのうちの少なくとも１つをさらに備える、請求項１１に記載の方法。
【請求項１３】
ユーザ機器であって、
複数のタイミングアドバンスグループに関連付けられた複数のルールのセットを決定するための手段と、ここにおいて、前記複数のルールのセットは、帯域内キャリアアグリゲーションのためのある数量のサポートされたＴＡＧおよび帯域間キャリアアグリゲーションのためのある数量のサポートされたＴＡＧを備える、
前記複数のタイミングアドバンスグループに関連付けられた複数のルールのセットを基地局に送信するための手段と、
少なくとも１つのタイミングアドバンスグループ（ＴＡＧ）への複数のアグリゲートされたコンポーネントキャリアの割り当てのインジケーションを受信するための手段とを備え、前記少なくとも１つのタイミングアドバンスグループへの前記割り当ては、前記複数のルールのセットに対応する、ユーザ機器。
【請求項１４】
前記複数のルールのセットは、複数のＴＡＧの許容可能な組み合わせ、または複数の周波数帯域の許容可能な組み合わせのうちの少なくとも１つをさらに備える、請求項１３に記載のユーザ機器。
【請求項１５】
実行された時、少なくとも１つのコンピュータに、請求項１から請求項６または請求項１１から請求項１２のうちの１つに従って方法を実行させる実行可能な命令を備える、コンピュータプログラム。
【手続補正２】
【補正対象書類名】明細書
【補正対象項目名】００７６
【補正方法】変更
【補正の内容】
【００７６】
[0087]  本開示の先の説明は、本開示を製造または使用することをいずれの当業者にも可能にさせるために提供される。本開示に対するさまざまな変更は、当業者に容易に理解され、本明細書で定義された一般的な原理は、本開示の精神または範囲から逸脱せずに、他の変形に適用されることができる。従って、本開示は、本明細書で説明された例および設計に限定されるように意図されたものではなく、本明細書で開示された原理および新規な特徴と一致する最も広い範囲が付与されるべきである。
以下に本願の出願当初の特許請求の範囲に記載された発明を付記する。
[Ｃ１]  方法であって、
複数の周波数帯域の許容可能な組み合わせを備える複数のタイミングアドバンスグループ（ＴＡＧ）に関連付けられた複数のルールのセットをユーザ機器（ＵＥ）から受信することと、
複数のアグリゲートされたコンポーネントキャリアの周波数を決定することと、
前記複数の周波数帯域の許容可能な組み合わせおよび前記複数のアグリゲートされたコンポーネントキャリアの前記決定された周波数に基づいて、前記複数のアグリゲートされたコンポーネントキャリアを少なくとも１つのタイミングアドバンスグループに割り当てることと
を備える、方法。
[Ｃ２]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせのうちの少なくとも１つをさらに備える、Ｃ１に記載の方法。
[Ｃ３]  前記割り当てることは、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つを備える、Ｃ２に記載の方法。
[Ｃ４]  前記少なくとも１つのＴＡＧは、最少で１つのＴＡＧ、多くて４つのＴＡＧを備える、Ｃ１に記載の方法。
[Ｃ５]  ワイヤレスエンティティに前記割り当てられた少なくとも１つのＴＡＧを送信することをさらに備える、Ｃ１に記載の方法。
[Ｃ６]  前記割り当てることは、既存のＴＡＧまたは新規のＴＡＧのうちの１つに割り当てることを備える、Ｃ１に記載の方法。
[Ｃ７]  ワイヤレスネットワークエンティティであって、
複数の周波数帯域の許容可能な組み合わせを備える複数のタイミングアドバンスグループ（ＴＡＧ）に関連付けられた複数のルールのセットをユーザ機器（ＵＥ）から受信するための手段と、
複数のアグリゲートされたコンポーネントキャリアの周波数を決定するための手段と、
前記複数の周波数帯域の許容可能な組み合わせおよび前記複数のアグリゲートされたコンポーネントキャリアの前記決定された周波数に基づいて、前記複数のアグリゲートされたコンポーネントキャリアを少なくとも１つのタイミングアドバンスグループに割り当てるための手段と
を備える、ワイヤレスネットワークエンティティ。
[Ｃ８]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ７に記載のワイヤレスネットワークエンティティ。
[Ｃ９]  前記割り当てるための手段は、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つのためにさらに構成される、Ｃ８に記載のワイヤレスネットワークエンティティ。
[Ｃ１０]  ワイヤレスネットワークエンティティであって、
複数の周波数帯域の許容可能な組み合わせを備える複数のタイミングアドバンスグループ（ＴＡＧ）に関連付けられた複数のルールのセットをユーザ機器（ＵＥ）から受信し、
複数のアグリゲートされたコンポーネントキャリアの周波数を決定し、
前記複数の周波数帯域の許容可能な組み合わせおよび前記複数のアグリゲートされたコンポーネントキャリアの前記決定された周波数に基づいて、前記複数のアグリゲートされたコンポーネントキャリアを複数のアグリゲートされたコンポーネントキャリアの少なくとも１つのタイミングアドバンスグループに割り当てるように構成された少なくとも１つのプロセッサと、
データを格納するために前記少なくとも１つのプロセッサに結合されるメモリとを備えるワイヤレスネットワークエンティティ。
[Ｃ１１]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ１０に記載のワイヤレスネットワークエンティティ。
[Ｃ１２]  前記複数のアグリゲートされたコンポーネントキャリアを割り当てることは、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つをさらに備える、Ｃ１１に記載のワイヤレスネットワークエンティティ。
[Ｃ１３]  コンピュータプログラム製品であって、
少なくとも１つのコンピュータに、
複数の周波数帯域の許容可能な組み合わせを備える複数のタイミングアドバンスグループ（ＴＡＧ）に関連付けられた複数のルールのセットをユーザ機器（ＵＥ）から受信させ、
複数のアグリゲートされたコンポーネントキャリアの周波数を決定させ、
前記受信されたセットのルールおよび前記複数のアグリゲートされたコンポーネントキャリアの前記決定された周波数に基づいて、前記複数のアグリゲートされたコンポーネントキャリアを複数のアグリゲートされたコンポーネントキャリアの少なくとも１つのタイミングアドバンスグループに割り当てさせるためのコードを備えるコンピュータ可読媒体
を備える、コンピュータプログラム製品。
[Ｃ１４]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ１３に記載のコンピュータプログラム製品。
[Ｃ１５]  前記少なくとも１つのコンピュータに、前記アグリゲートされたコンポーネントキャリアを割り当てさせるための前記コードは、（ｉ）所定の周波数帯域における周波数を有する複数のアグリゲートされたコンポーネントキャリアを帯域内キャリアアグリゲーションのための少なくとも１つのＴＡＧに割り当てることと、（ｉｉ）異なる所定の周波数帯域における周波数を有する複数のアグリゲートされたコンポーネントキャリアを帯域間キャリアアグリゲーションのための少なくとも１つのＴＡＧに割り当てることと、（ｉｉｉ）複数の周波数帯域の許容可能な組み合わせを有する複数のアグリゲートされたコンポーネントキャリアを同じＴＡＧに割り当てることと、または（ｉｖ）複数の周波数帯域の許容不可能な組み合わせを有する複数のアグリゲートされたコンポーネントキャリアを同じＴＡＧに割り当てることを抑制することとのうちの少なくとも１つを行なうようにさらに構成される、Ｃ１４に記載のコンピュータプログラム製品。
[Ｃ１６]  方法であって、
複数のタイミングアドバンスグループに関連付けられた複数のルールのセットを決定することと、
前記複数のタイミングアドバンスグループに関連付けられた複数のルールのセットを基地局に送信することと、
少なくとも１つのタイミングアドバンスグループ（ＴＡＧ）への複数のアグリゲートされたコンポーネントキャリアの割り当てのインジケーションを受信することとを備え、前記少なくとも１つのタイミングアドバンスグループへの前記割り当ては、前記複数のルールのセットに対応する、方法。
[Ｃ１７]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ１６に記載の方法。
[Ｃ１８]  ユーザ機器であって、
複数のタイミングアドバンスグループに関連付けられた複数のルールのセットを決定するための手段と、
前記複数のタイミングアドバンスグループに関連付けられた複数のルールのセットを基地局に送信するための手段と、
少なくとも１つのタイミングアドバンスグループ（ＴＡＧ）への複数のアグリゲートされたコンポーネントキャリアの割り当てのインジケーションを受信するための手段とを備え、前記少なくとも１つのタイミングアドバンスグループへの前記割り当ては、前記複数のルールのセットに対応する、ユーザ機器。
[Ｃ１９]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ１８に記載のユーザ機器。
[Ｃ２０]  ユーザ機器であって、
複数のタイミングアドバンスグループに関連付けられた複数のルールのセットを決定し、
前記複数のタイミングアドバンスグループに関連付けられた複数のルールのセットを基地局に送信し、
少なくとも１つのタイミングアドバンスグループ（ＴＡＧ）への複数のアグリゲートされたコンポーネントキャリアの割り当てのインジケーションを受信するように構成された少なくとも１つのプロセッサと、ここにおいて、前記少なくとも１つのタイミングアドバンスグループへの前記割り当ては、前記複数のルールのセットに対応する、
データを格納するために前記少なくとも１つのプロセッサに結合されるメモリとを備える、ユーザ機器。
[Ｃ２１]  前記ルールのセットは、帯域内キャリアアグリゲーションのためのある数量のサポートされたＴＡＧ、帯域間キャリアアグリゲーションのためのある数量のサポートされたＴＡＧ、ＴＡＧの許容可能な組み合わせ、または周波数帯域の許容可能な組み合わせのうちの少なくとも１つを備える、Ｃ２０に記載のユーザ機器。
[Ｃ２２]  コンピュータプログラム製品であって、
少なくとも１つのコンピュータに、
複数のタイミングアドバンスグループに関連付けられた複数のルールのセットを決定させ、
前記複数のタイミングアドバンスグループに関連付けられた複数のルールのセットを基地局に送信させ、
少なくとも１つのタイミングアドバンスグループ（ＴＡＧ）への複数のアグリゲートされたコンポーネントキャリアの割り当てのインジケーションを受信させるためのコードを備えるコンピュータ可読媒体を備え、前記少なくとも１つのタイミングアドバンスグループへの前記割り当ては、前記複数のルールのセットに対応する、コンピュータプログラム製品。
[Ｃ２３]  前記複数のルールのセットは、帯域内キャリアアグリゲーションのためのある数量のサポートされたＴＡＧ、帯域間キャリアアグリゲーションのためのある数量のサポートされたＴＡＧ、複数のＴＡＧの許容可能な組み合わせ、または複数の周波数帯域の許容可能な組み合わせのうちの少なくとも１つを備える、Ｃ２２に記載のコンピュータプログラム製品。